(57)【要約】【課題】音声にて番組案内を行う手法が提案されているが、音声案内のみの場合、番組選択において、視聴者は受動的な立場に限定されてしまうことになり、好みの番組が案内されるまで一方的に音声案内を聴く必要が発生する。よって視聴者が好みの番組選択を行う効率が低下してしまう課題があった。【解決手段】ＥＰＧの視覚的な表示と音声案内の両方を組み合わせることにより、視聴者に能動的な立場での番組選択を可能とし、更に音声案内にて事前に選択されている番組情報の概要を視聴者へ提供を行うことで、視聴者は番組を視聴するのか判断がし易くなり、番組選択の効率を上げることができる。【選択図】図１
2006005427.tif 000002
【特許請求の範囲】
【請求項１】
放送番組情報を受信することができるＥＰＧ受信手段をもち、ＥＰＧの視覚的な表示と音声案内の両方の機能を持ち、視覚的な表示により視聴者に能動的な番組選択を可能とし、更に音声案内にて事前に選択された番組情報の概要を視聴者へ提供することで、番組選択の効率化を行うことできる音声案内付きテレビジョン装置。
【発明の詳細な説明】
【技術分野】
【０００１】
本発明は、ＥＰＧデータの映像表示とＥＰＧデータから分離抽出したデータに基づく自動音声案内との両方を用い、番組選択を効率的に行うテレビジョン装置を提供する。
【背景技術】
【０００２】
近年、ＥＰＧ（Ｅｌｅｃｔｒｏｎｉｃｓ  Ｐｒｏｇｒａｍ  Ｇｕｉｄｅ：電子プログラムガイド）等のガイドシステムの利用がなされるようになり、放送番組情報とテレビが連動して使うことができるようになってきている。また各番組に対して付加情報を持たせ、これを見ることができるシステムが出来、放送される形態も従来のＵＨＦ、ＶＨＦのアナログ放送から地上波デジタル放送、ＢＳ／ＣＳ放送と増加の傾向にあり、今後ますます視聴できる番組は増えるものと予想される。
【０００３】
従来ＥＰＧは映像表示にて番組情報を視聴者へ提供する手法であるが、近年音声にて番組案内を行う手法が提案されている（例えば、特許文献１参照）。この技術は、視聴中の番組がＥＰＧを表示することで映像が見えなくなるため、映像ではなく音声にて番組情報を視聴者へ提供するものであった。
【特許文献１】特開２０００−３２４４１７号公報
【発明の開示】
【発明が解決しようとする課題】
【０００４】
しかし上記の方法はＥＰＧによる視覚的な表示をやめ、音声のみで番組案内を行うため、視聴者は受動的な立場に限定されてしまうことになり、好みの番組が案内されるまで一方的に音声案内を聴く必要が発生する。よって視聴者が好みの番組選択を行う効率が低下してしまう課題があった。
【０００５】
そこで、視聴者の番組選択の効率改化を図るために、ＥＰＧの視覚的な表示と音声案内の両方を組み合わせることにより、視聴者に能動的な立場での番組選択を可能とし、更に音声案内にて事前に選択されている番組情報の概要を視聴者へ提供を行うことで、視聴者は番組を視聴するのか判断がし易くなり、番組選択の効率を上げることができる。従ってＥＰＧ等の放送番組情報を利用することができる機能を持ち、放送番組情報を映像と音声案内にて容易に視聴者へ提供する手法を備える音声案内付きテレビジョン装置を提供することを目的としている。
【課題を解決するための手段】
【０００６】
本発明のテレビジョン装置は、ＥＰＧを受信した後、映像データとしてディスプレイに表示されるＥＰＧデータと音声案内用の抽出データ作成に用いられるＥＰＧデータとに分かれる。音声案内用のＥＰＧデータは必要最低限の番組情報として放送日、放送時間（放送開始時間）、放送局、放送ジャンルに分離抽出を行い、現在視聴者がディスプレイに表示されたＥＰＧにて選択している放送番組を前記分離抽出データに基づき音声案内にて視聴者へ番組情報を提供することができる。
【発明の効果】
【０００７】
ＥＰＧの視覚的な表示と音声案内の両方を組み合わせることにより、視聴者は効率的に番組情報を得ることができる。
【発明を実施するための最良の形態】
【０００８】
上記の構成により、ＥＰＧデータの映像表示とＥＰＧデータの自動音声案内の両方を用いて番組選択を効率的に視聴者へ提供することができる。
【０００９】
（実施の形態１）
以下、本発明の実施例について、図面を参照しながら説明する。
【００１０】
本発明に係わる音声案内を利用したテレビジョン装置は、第１図に示すように放送波から映像と音声を再生出力できる映像音声再生処理部１を持ち、放送番組情報を受信してＥＰＧデータを作成することが出来る放送かつＥＰＧ受信部３とＥＰＧデータを分離抽出し、音声案内信号に変換する合成音声作成部２とから構成される。
【００１１】
放送かつＥＰＧ受信部３は、従来のＵＨＦ、ＶＨＦのアナログ放送以外に地上波デジタル放送、ＢＳ／ＣＳ放送および放送番組情報を受信することが出来るチューナ部４と、この受信した放送の番組情報をデコードしてＥＰＧデータを作成するＥＰＧ情報処理回路５とから構成されている。このＥＰＧデータは放送番組表示用と放送番組情報の分離抽出用として主制御部入力切り替えマイクロプロセッサ８（以下、主制御部８とする）に送ることが出来る。
【００１２】
映像音声再生処理部１は、放送受信かつＥＰＧ受信部３から受信された放送およびＥＰＧデータを主制御部８にて入力切り替え制御を行い、ＯＳＤ（オン・スクリーン・ディスプレイ）回路１１と映像出力回路１２を経てディスプレイ１３に表示させる。また更にＥＰＧデータは主制御部８にて放送番組表示用とは別にＥＰＧの文字データを合成音声作成部２に送るためのデータ抽出を行う。
【００１３】
ＥＰＧの文字データ分離抽出は、放送番組の確認に最低限必要と思われる放送日、放送時間（開始時間）、放送局、放送ジャンルの４つの項目において実施され、現在ディスプレイ１３に表示し選択されているＥＰＧデータの１ページに対して全ての番組に対して分離抽出データを作成しておきメモリ９へ格納し、更に現在ＥＰＧで選択している番組情報とメモリ９にて格納されている分離抽出データとの対比を行い、当てはまる分離抽出データを呼び出し合成音声声作成部２へデータの引き渡しを行う。
【００１４】
ここで分離抽出データは、第２図の例に示す内容が符号化されデータに格納されている。またＥＰＧ放送内容を放送ジャンルとしてデータに使用するのは、予め用意されている音声記録データの容量が大きくなることを避けるためと放送番組の分離抽出データと音声記録データとの関連付け検索にかかる時間の短縮を考慮するために、番組内容ではなく番組ジャンルをデータとして用いている。むしろ視聴者においては、音声案内にて番組ジャンルが判れば、現在選択しているチャンネルが自分の好みにあった放送であるのか、すぐに理解でき、好みのチャンネルであれば同時に映像表示されているＥＰＧデータにて更に詳細データを読み、どうするかの判断を行えば良いことになり、視聴者は効率的に番組情報を得ることができる。
【００１５】
合成音声作成部２は、主制御部８にて引き渡された分離抽出データを合成音声処理マイクロプロセッサ６に引き渡し、予め用意されている音声記録データとの対比解析により音声案内信号を作成し、主制御部８へ音声案内信号を引き渡し、更に音声増幅回路１４を経てスピーカ１５より番組の音声案内を行う。
【００１６】
ここで音声記録データ７には、第３図の例に示す音声データが符号化されて格納されており、この内容が音声増幅回路１４を経てスピーカ１５から流れる。上記構成における音声案内付きテレビジョン装置の番組音声案内動作について第４図に示すフローチャートを参照して説明する。
【００１７】
まず受信した放送において、放送番組情報であるＥＰＧ放送が含まれているかを判別する。（ステップ１）。ＥＰＧ放送が含まれている場合において、受信した放送番組情報をディスプレイ１３へＥＰＧ画面表示を行う（ステップ２）。同時にディスプレイ１３に表示されているＥＰＧ放送番組情報を放送日、放送時間（開始時間）、放送局、放送ジャンルとにデータの分離抽出処理を行いメモリ９へデータを格納する（ステップ３）。
【００１８】
ディスプレイ１３にて表示されているＥＰＧ番組データと事前に格納されているメモリ９とのデータ検索を行い（ステップ４）、一致したデータは合成音声処理プロセッサ６へ転送され、このデータ情報に基づき、音声記録データ７から音声データを取り出し（ステップ５）、主制御部８へ引き渡した後、音声増幅回路を経て番組の音声案内（ステップ６）が行われる。
【００１９】
次に視聴者は現在表示のＥＰＧのページで良いか判断を行う（ステップ７）。リモコン１６内にあるＥＰＧページ変更キー１６ｃにてページの変更が行われた場合は直ちにそのページに即した前期（ステップ２）から（ステップ７）が実行され、ページ変更を行わない場合は、現在表示中の番組が所定の番組であるのかリモコン１６内にあるＥＰＧ選択確認キー１６ｂの押下にて判断する（ステップ８）。ＹＥＳであれば処理が終了し選択された番組が放送される。ＮＯであればリモコン１６内にあるＥＰＧ番組選択キー１６ａにて別のチャンネルが選択され（ステップ９）、そのチャンネルの音声案内が行われる（ステップ４〜６）。
【００２０】
視聴者は上記ステップを繰り返すことで所定の番組を探し出すことが出来る。
【００２１】
また番組選定後、再度ＥＰＧの番組映像と番組の音声案内を行いたい場合は、リモコン１６内にあるＥＰＧ番組キー１６ｄを押下することで、上記動作処理を再度行うことができる。
【産業上の利用可能性】
【００２２】
本発明は、ＥＰＧを活用できる表示装置において利用できるものであって、家庭内でのテレビジョン受信装置や、携帯型のテレビ受信装置、または、テレビジョン信号を受信して表示が可能な携帯電話や、車載テレビジョン受信機などにおいても多くの効果を奏するものである。
【図面の簡単な説明】
【００２３】
【図１】本発明の音声案内付きテレビジョン装置ブロック図
【図２】本発明のＥＰＧ分離抽出データ例を示す図
【図３】本発明の音声記録データ例を示す図
【図４】本発明の番組音声案内フローチャート
【符号の説明】
【００２４】
１    映像音声再生処理部
２    合成音声作成部
３    放送かつＥＰＧ受信部
４    チューナ
５    ＥＰＧ情報処理回路
６    合成音声処理用マイクロプロセッサ
７    音声記録データ
８    主制御部入力切替マイクロプロセッサ
９    メモリ
１０    受信回路
１１    ＯＳＤ回路
１２    映像出力回路
１３    ディスプレイ
１４    音声増幅回路
１５    スピーカ
１６    リモコン
１６ａ    ＥＰＧ番組選択キー
１６ｂ    ＥＰＧ選択確認キー
１６ｃ    ＥＰＧページ変更キー
１６ｄ    ＥＰＧ番組キー
【図１】
2006005427.tif 000003
【図２】
2006005427.tif 000004
【図３】
2006005427.tif 000005
【図４】
2006005427.tif 000006